【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
液体を再循環させるための再循環ループであって、前記再循環ループ内に、流体連通して、浸漬管、ポンプ、レギュレータ、フローメータ、及び接続部を含む、再循環ループと、
前記接続部を通じて、かつ、前記接続部の下流で、前記再循環ループと流体連通しているフロー制御システムと
を含む、低い圧力変動の制御装置であって、
前記再循環ループが、供給容器から浸漬管を通じて前記液体をくみ出し、前記液体の少なくとも一部を、前記再循環ループ内の前記接続部の下流の戻り管を通じて前記供給容器に戻し、
前記ポンプがダイアフラム型又はベローズ型のポンプである、装置。
【請求項２】
さらに、前記フロー制御システムがフローコントローラを含む、請求項１に記載の装置。
【請求項３】
さらに、前記フローコントローラが、流体連通しているフローメータ及び制御レギュレータを含む、請求項２に記載の装置。
【請求項４】
少なくとも１つの前記フローメータがフロートランスミッターである、請求項１〜３のいずれか１項に記載の装置。
【請求項５】
前記フローメータがフロートランスミッターである、請求項１〜４のいずれか１項に記載の装置。
【請求項６】
前記フロー制御システム内の前記フローメータがフロートランスミッターである、請求項１〜５のいずれか１項に記載の装置。
【請求項７】
前記再循環ループ内の前記レギュレータが、直動エアレギュレータによって制御される、請求項１〜６のいずれか１項に記載の装置。
【請求項８】
前記フロー制御システムが遮断弁をさらに含む、請求項１〜７のいずれか１項に記載の装置。
【請求項９】
前記再循環ループ内の前記フロートランスミッターが、前記フロートランスミッターから信号を受け、前記ポンプにパイロット圧力を適応させるコントローラに電気的に接続された、請求項１〜８のいずれか１項に記載の装置。
【請求項１０】
前記フロー制御システムが、前記フローコントローラの下流に逆止弁をさらに含む、請求項１〜９のいずれか１項に記載の装置。
【請求項１１】
前記再循環ループが、前記再循環ループ内に、前記浸漬管、前記ポンプ、前記液体フローレギュレータ、前記フローメータ、及び前記接続部に接続された管を、それらの間で流体連通を提供するために、さらに含む、請求項１〜１０のいずれか１項に記載の装置。
【請求項１２】
前記フロー制御システムが、流体連通を提供するために、前記フローコントローラを前記接続部に接続した管をさらに含む、請求項１〜１１のいずれか１項に記載の装置。
【請求項１３】
前記フロー制御システム内の前記コントローラが、前記フロー制御システム内の前記フロートランスミッターから信号を受け、前記信号に応答して前記レギュレータにガス圧力を適応させる、請求項１〜１２のいずれか１項に記載の装置。
【請求項１４】
前記再循環ループが、前記戻り管内に設置された背圧コントローラをさらに含む、請求項１〜１３のいずれか１項に記載の装置。
【請求項１５】
前記背圧コントローラが弁及びフローメータを含む、請求項１４に記載の装置。
【請求項１６】
前記背圧コントローラがニードル弁及びロータメータを含む、請求項１４に記載の装置。
【請求項１７】
前記背圧コントローラが、圧力変換器、コントローラ及び空気駆動弁を含む、請求項１４に記載の装置。
【請求項１８】
前記再循環ループが、前記再循環ループ内にフィルタをさらに含む、請求項１〜１７のいずれか１項に記載の装置。
【請求項１９】
１つ又は複数の前記レギュレータが２つのダイアフラムを含む、請求項１〜１８のいずれか１項に記載の装置。
【請求項２０】
前記レギュレータが２つのダイアフラムを含む、請求項１〜１９のいずれか１項に記載の装置。
【請求項２１】
前記再循環ループ内の前記フローメータが、前記再循環ループ内の前記レギュレータの下流にあり、前記レギュレータに背圧を提供する、請求項１〜２０のいずれか１項に記載の装置。
【請求項２２】
前記ポンプが相互位相ポンプである、請求項１〜２１のいずれか１項に記載の装置。
【請求項２３】
前記再循環ループ内の前記レギュレータが、前記レギュレータの最大容量流量と、ポンプの最大容量流量との比が２．５：１〜５．５：１であるようにサイズ決めされた、請求項１〜２２のいずれか１項に記載の装置。
【請求項２４】
前記フロー制御システム内の前記フローコントローラの前記フローメータが、前記フロー制御システム内の前記フローコントローラの前記制御弁の下流にある、請求項１〜２３のいずれか１項に記載の装置。
【請求項２５】
液体を再循環させるための再循環ループと、
前記再循環ループと流体連通しており、閉ループ制御型である第１フローコントローラを有する、液体材料供給ラインと、
液体と混合され液体配合物を作るための液体構成要素のための、閉ループ制御型である、第２フローコントローラと、
液体及び１つ又は複数の他の液体構成要素により配合液体が形成される、接続部又は連結管と
を含む、液体を配合する装置であって、
前記再循環ループが、吸入揚程能力を有する、背圧コントローラのポンプを含み、前記ポンプがそのスピードを調整するための手段と、以下：チャンバーのオーバーラップ、ガス背圧、ベンチュリ圧力、並びにダイアフラム又はベローズへのガス及び真空フローのうち１つ又は複数又は全てを調整するための手段とを提供する、装置。
【請求項２６】
前記再循環ループ内の前記背圧コントローラ（又は背圧を調整するための手段）が手動で、電気的に又は空気圧で調整可能である、請求項１４〜２５のいずれか１項に記載の装置。
【請求項２７】
液体のための前記第１フローコントローラが、１〜２０又は２〜８又は１〜３ＬＰＭに設定された、請求項２５に記載の装置。
【請求項２８】
前記再循環ループ内の２０％以下の液体が、前記液体材料供給ラインに導かれることを含む、請求項２５に記載の装置を操作する、プロセス。
【請求項２９】
液体供給圧力が、前記ポンプと、液体材料ラインとの前記接続部との間で、前記再循環ループ内で測定された場合に、前記再循環ループ内の液体圧力以上であるポンプ内のガス背圧を有することを含む、請求項２８に記載のプロセス。
【請求項３０】
前記ポンプ内のガス背圧及びベンチュリ圧力を、±１０％に等しくなるように調整することを含む、請求項２８又は２９に記載のプロセス。
【請求項３１】
液体供給圧力が、前記ポンプと、液体材料ラインとの前記接続部との間で、前記再循環ループ内で測定された場合に、前記再循環ループ内の液体圧力以上であるポンプ内のガス背圧を有することを含む、請求項２５に記載の装置を操作する、プロセス。
【請求項３２】
前記ポンプ内のガス背圧及びベンチュリ圧力を、±１０％に等しくなるように調整することを含む、請求項２５に記載の装置を操作する、プロセス。
【請求項３３】
前記再循環ループ内の前記背圧コントローラ（又は背圧を調整するための手段）が手動で、電気的に又は空気圧で調整可能である、請求項２８〜３２のいずれか１項に記載のプロセス。
【請求項３４】
液体のための前記第１フローコントローラが、１〜２０又は２〜８又は１〜３ＬＰＭに設定された、請求項２８〜３３のいずれか１項に記載のプロセス。
【請求項３５】
圧力を有する液体を提供するための圧力で、液体を、ポンプを通じて液体供給容器から出して再循環ループ内にポンピングする工程と、
前記液体を、前記再循環ループの戻り部内に設置された背圧コントローラを通過させた後、前記液体の少なくとも一部を、前記再循環ループの戻り部内で、前記液体供給容器に戻して再循環させる工程と、
前記再循環ループからの液体の残りを、フローコントローラを通過させる工程であって、前記フローコントローラが、制御された容量の液体を前記フローコントローラの下流に提供する工程と
を含む、請求項１〜２７のいずれか１項に記載の装置のいずれか１つを操作する方法。
【請求項３６】
前記再循環ループ内のレギュレータを通じて液体を流す追加の工程を含む、請求項３５に記載の方法。
【請求項３７】
前記ポンプがポンピングしている間に継続して、前記液体の少なくとも一部を、前記液体供給容器に戻して再循環させる、追加の工程を含む、請求項３５又は３６に記載の方法。